(57)【要約】【課題】  シリンダ等の中空体内に案内されるピストン或いはプランジャを備え、ピストン或いはプランジャがバネ力の作用を受けて押し出し位置に置かれるドア又は引き出し等の家具の可動部分用減衰装置において、低コストで製造可能であり、プランジャ或いはピストンのストロークが短い場合でも良好な制動効果をもたらすものとする。【解決手段】  中空体（４）に、少なくとも一部が螺旋状になっている雌ネジ山（５）を設ける。且つ／又はピストン（１４）或いはプランジャ（３）に、少なくとも一部が螺旋状になっている雄ネジ山（６）を設ける。両ネジ山（５，６）の一方は、他方によって移動可能に支持されているか、若しくは、中空体（３０）又はピストン或いはプランジャのカム（３１）又はジャーナルを、別の構成要素（３３）の螺旋状部分（３４）によって支持する。そして、上記各ネジ山の間隔を、自動ロックがかかる間隔よりも大きくする。【選択図】  図３
2004316912.tif 000002
【特許請求の範囲】
【請求項１】
中空体（３０）内に摺動可能に案内されるピストン或いはプランジャを備えており、上記ピストン或いはプランジャは、バネ力の作用を受けて押し出し位置に置かれる家具の可動部分用減衰装置であって、
上記中空体（４）は、少なくとも一部が螺旋状になっている雌ネジ山（５）を備え、且つ／又は上記ピストン（１４）或いはプランジャ（３）は、少なくとも一部が螺旋状になっている雄ネジ山（６）を備えており、
上記両ネジ山（５，６）の一方は、他方によって摺動可能に支持されているか、若しくは、上記中空体（３０）又は上記ピストン或いはプランジャのカム（３１）又はジャーナルは、別の構成要素（３３）の螺旋状部分（３４）によって支持されており、
上記各ネジ山の間隔は、自動ロックがかかる間隔よりも大きいことを特徴とする減衰装置。
【請求項２】
シリンダである上記中空体（４）の底部（７）と上記プランジャ（３）或いはピストン（１４）との間には、圧縮バネ（８）が係止されていることを特徴とする請求項１に記載の減衰装置。
【請求項３】
上記圧縮バネ（８）と上記プランジャ（３）或いはピストンとの間には、中間部材（１１）が配置されており、
上記中間部材（１１）は、上記圧縮バネ（８）に回転不能に接続されていることを特徴とする請求項１又は請求項２に記載の減衰装置。
【請求項４】
上記中間部材（１１）は、上記プランジャ（３）或いはピストンにより支持される粗面を備えていることを特徴とする請求項３に記載の減衰装置。
【請求項５】
上記圧縮バネ（８）は、上記シリンダの底部（７）を形成するカバーによって回転不能に保持されていることを特徴とする請求項１乃至請求項４の何れか１つに記載の減衰装置。
【請求項６】
上記プランジャ（１３）の一部（１５）は、上記ピストン（１４）の穿孔に回転可能に係合しており、
上記ピストン（１４）は、少なくとも１つのネジ山部又はジャーナルを備えていることを特徴とする請求項１乃至請求項５の何れか１つに記載の減衰装置。
【請求項７】
上記シリンダ（４）から突出する上記プランジャ（１３）のジャーナルは、断面が非真円形又は多角形であるか、或いは、溝又は縦方向の楔部を備えており、対応する開口を有する上記シリンダ（４）の縁部又はカバーを貫通していることを特徴とする請求項６に記載の減衰装置。
【請求項８】
上記ピストン（３３）は、傾斜の付いた螺旋状の側面（３４）を有する鋸歯状の環状段部と、上記螺旋状の側面（３４）同士の間に位置するほぼ軸平行な側面（３６）とを構成する大径部を備えており、上記ピストン（３３）を囲む上記シリンダ（３０）のカム（３１）は、上記螺旋状の側面（３４）によって支持されていることを特徴とする請求項１乃至請求項７の何れか１つに記載の減衰装置。
【請求項９】
上記鋸歯状の環状段部は、上記ピストン（３３）に形成された溝（３２）の側面（３４）で構成されており、
上記段部の先端部（３５）近傍における上記溝（３２）の上側面は、摺動側面を有するポケット状部分を形成しており、
上記ポケット状部分の基部（３７）は、上記螺旋状の側面（３４）の始端近傍における上記先端部（３５）の傍らでほぼ軸平行になっていることを特徴とする請求項８に記載の減衰装置。
【請求項１０】
上記シリンダ（３０）は、外側のシリンダ（４２）により囲まれていることを特徴とする請求項８又は請求項９に記載の減衰装置。
【請求項１１】
上記外側のシリンダ（４２）は、上記ピストン（３３）の底板に接続されていることを特徴とする請求項８乃至請求項１０の何れか１つに記載の減衰装置。
【請求項１２】
上記ピストン（３３）は、中空体であり、
上記中空体（３３）の基部と上記シリンダ（３０）との間には、圧縮バネ（４４）が係止されていることを特徴とする請求項８乃至請求項１１の何れか１つに記載の減衰装置。
【請求項１３】
互いに摺動する上記減衰装置の螺旋状のネジ山の表面、及び／又は上記螺旋状のネジ山の側面には、高粘性グリースが塗布されていることを特徴とする請求項１乃至請求項１２の何れか１つに記載の減衰装置。
【請求項１４】
衝撃を吸収する上記プランジャ或いはシリンダには、エラストマー材料からなるキャップが配置されていることを特徴とする請求項１乃至請求項１３の何れか１つに記載の減衰装置。
【請求項１５】
上記キャップは、上記プランジャ或いはシリンダに回転可能に接続されていることを特徴とする請求項１４に記載の減衰装置。
【請求項１６】
ヒンジの閉鎖運動の際、上記プランジャ（３）或いはシリンダが上記ヒンジのヒンジアーム又は旋回アーム（２２）に対して当接するように、上記減衰装置は、上記ヒンジのポット状部分（２０）内に挿入されているか、又は上記ヒンジのポット状部分（２０）と一体に構成されていることを特徴とする請求項１乃至請求項１５の何れか１つに記載の減衰装置。
【請求項１７】
中空体（５０）内に摺動可能に案内されるピストン或いはプランジャを備えており、上記ピストン或いはプランジャは、バネ力の作用を受けて押し出し位置に置かれる家具の可動部分用減衰装置であって、
上記ピストン（５１）は、軸方向に延びる穿孔と、少なくとも一部が螺旋状になっている雌ネジ山（５２）とを備えており、上記ピストン（５１）に螺入されるプランジャ（５５）は、少なくとも一部が螺旋状になっている雄ネジ山（５８）を備えており、
上記両ネジ山（５２，５８）の一方は、他方によって摺動可能に支持されているか、若しくは、上記ピストン或いはプランジャのカム又はジャーナルは、別の構成要素のネジ山によって支持されており、
上記ピストン（５１）或いは上記プランジャ（５５）は、上記中空体（５０）において軸方向に変位可能且つ回転可能に案内され、上記別の構成要素は、上記中空体（５０）において軸方向に変位可能且つ回転不能に案内され、
上記回転可能に案内されるピストン（５１）或いはプランジャ（５５）は、連結部（６４）を備えており、上記回転可能なピストン（５１）或いはプランジャ（５５）が上記中空体（５０）内に押し込まれた位置にあるときに、上記連結部（６４）と該連結部（６４）に対応する構成要素（６１）の連結部（６３）とが連結可能になり、上記構成要素（６１）は、上記中空体（５０）内において抵抗に抗して回転できるように構成されており、
上記各ネジ山の間隔は、自動ロックがかかる間隔よりも大きいことを特徴とする減衰装置。
【請求項１８】
上記ピストン（５１）に螺入可能な上記プランジャ（５５）は、上記中空体（５０）の内壁部の縦溝、又は上記中空体（５０）を閉鎖する軸受筒（５３）において案内される、少なくとも１つの径方向に延びるカム（５６）又はバネを備えていることを特徴とする請求項１７に記載の減衰装置。
【請求項１９】
減速ねじりモーメントと関係して回転可能な上記構成要素は、上記中空体（５０）の底部の環状溝内で回転可能に保持される筒状部（６１）で構成されていることを特徴とする請求項１７又は請求項１８に記載の減衰装置。
【請求項２０】
上記筒状部（６１）は、高粘性グリースを用いることにより、上記環状溝に埋め込まれていることを特徴とする請求項１９に記載の減衰装置。
【請求項２１】
上記両連結部は、上記筒状部（６１）及び筒状の上記ピストン（５１）の環状面に配置された鋸歯状部（６３，６４）で構成されており、上記プランジャ（５５）が押し込まれたときに、上記両鋸歯状部（６３，６４）は互いに係合して連結するように構成されていることを特徴とする請求項１９又は請求項２０に記載の減衰装置。
【請求項２２】
上記中空体（５０）の基部において上記環状溝により露出されているジャーナル（６０）の端面と、上記プランジャ（５５）の後端との間には、圧縮バネ（６９）が係止されていることを特徴とする請求項１９乃至請求項２１の何れか１つに記載の減衰装置。
【発明の詳細な説明】
【技術分野】
【０００１】
本発明は、例えば、ドア又は引き出し等の家具の可動部分用減衰装置に関し、特に、シリンダ等の中空体内に案内されるピストン或いはプランジャを備え、該ピストン或いはプランジャがバネ力の作用を受けて押し出し位置に置かれる家具の可動部分用減衰装置に関する。
【背景技術】
【０００２】
この種の装置は、例えば、ドア、扉又は引き出し等の家具の可動部分が閉鎖位置へ勢いよく移動する際に、この可動部分の運動を減速することにより、家具の本体部分又は固定部分に対する当接時に発生する音及び衝撃荷重を低減するために使用される。この種の既知の装置の中でも、家具の可動部分の運動を減衰又は減速するために使用される減衰装置は、家具の可動部分の閉鎖領域における相対的に小さい経路に沿ってのみ作用を受けるため、それに対応した限られた減衰又は減速作用しか実現できない。
【０００３】
従来の家具の可動部分の運動を減衰する装置においては、家具の可動部分に対して大きな制動力及び減衰力を発揮するために、家具の可動部分の相対的に小さい閉鎖運動は、増速比を有する少なくとも２段階式のギア手段を介して、減衰用シリンダの回転ダンパ又はピストンに伝達される（例えば、特許文献１及び２参照）。
【特許文献１】ドイツ実用新案第２０３０２５２４．４号
【特許文献２】ドイツ実用新案第２０３０３５３４．８号
【発明の開示】
【発明が解決しようとする課題】
【０００４】
しかしながら、これらの従来の減衰装置は、２段階式のギア手段が必要であるため、比較的コストが高くなってしまうという問題があった。
【０００５】
従って、本発明の目的は、低コストで製造可能であり、プランジャ或いはピストンのストロークが短い場合でも良好な制動効果をもたらす家具の可動部分用減衰装置を提供することである。
【課題を解決するための手段】
【０００６】
上記目的を達成するため、本発明によれば、中空体内に摺動可能に案内されるピストン或いはプランジャを備え、上記ピストン或いはプランジャがバネ力の作用を受けて押し出し位置に置かれる可動部分用減衰装置において、上記中空体は、少なくとも一部が螺旋状になっている雌ネジ山を備え、且つ／又は上記ピストン或いはプランジャは、少なくとも一部が螺旋状になっている雄ネジ山を備えている。上記両ネジ山の一方は、他方によって摺動（滑動）可能に支持されているか、若しくは、上記中空体又は上記ピストン或いはプランジャのカム又はジャーナルは、別の構成要素の螺旋状部分によって支持されており、上記各ネジ山の間隔は、自動ロックがかかる間隔よりも大きい。これにより、上記ピストン或いはプランジャの軸方向運動の距離が非常に短い本発明に係る上記減衰装置は、極めて良好な制動力を保証し、上記軸方向運動には回転運動が加えられる。そして、上記両ネジ山の一方が他方に対して摩擦を伴いながら摺動する結果、螺旋運動において、極めて良好な制動力が軸方向に得られる。
【０００７】
シリンダである上記中空体の底部と上記プランジャ或いはピストンとの間には、圧縮バネが係止されていることが好ましい。上記圧縮バネの力は、上記プランジャ或いはピストンに負荷がかかっていないときに、上記プランジャ或いはピストンを押し出し位置まで摺動させることができる程度の力となっている。
【０００８】
上記圧縮バネと上記プランジャ或いはピストンとの間には、中間部材を配置することができると共に、上記中間部材は、上記圧縮バネに回転不能に接続することができる。上記中間部材は、上記プランジャ或いはピストンにより支持されると共に摩擦力を増加する粗面を備えることができる。上記圧縮バネの一端は、上記シリンダの底部を形成するカバーによって回転不能に保持することが可能である。
【０００９】
本発明の更なる実施形態において、上記プランジャの一部は、上記ピストンの穿孔に回転可能に係合しており、上記ピストンは、少なくとも１つのネジ山部又はジャーナルを備えている。
【００１０】
上記シリンダから突出する上記プランジャのジャーナルが軸方向の運動のみを行ない、この軸方向の運動に対して回転運動が加わらないことが望ましい場合、上記プランジャの断面は、非真円形又は多角形であってもよいし、或いは、溝又は縦方向の楔部を備えていてもよく、上記ジャーナルは、該ジャーナルの断面に対応する断面を有する上記シリンダの縁部又はカバーを貫通可能になっている。
【００１１】
特に好適な実施形態において、上記ピストンは、傾斜の付いた螺旋状の側面を有する鋸歯状の環状段部と、上記螺旋状の側面同士の間に位置するほぼ軸平行な側面とを構成する大径部を備えており、上記ピストンを囲む上記シリンダのカムは、上記螺旋状の側面によって支持されている。好適な実施形態において、上記鋸歯状段部は、上記ピストンに形成された溝の側面で構成されており、上記段部の先端部近傍における上記溝の上側面は、摺動側面を有するポケット状部分を形成しており、上記ポケット状部分の基部は、上記螺旋状の側面の始端近傍における上記先端部の傍らでほぼ軸平行になっている。この実施形態により、上記装置が衝撃力を受けた場合は、上記始端近傍において上記カムは常に上記螺旋状の摺動側面に当接するため、実質的にこれらの側面の全長を衝撃力の減衰に利用することができる。
【００１２】
上記シリンダは、外側のシリンダにより囲まれていることが好ましい。上記外側のシリンダは、上記ピストンの底板に接続することができる。上記ピストンは中空体であり、該中空体の基部と上記シリンダの基部との間には、圧縮バネが係止（拘止）されていることが好ましい。
【００１３】
摩擦力を増加させるため、互いに摺動する上記減衰装置の螺旋状のネジ山の表面、及び／又は上記螺旋状のネジ山の側面には、高粘性グリースを塗布することができる。
【００１４】
衝撃を吸収する上記プランジャ、ピストン又はシリンダには、エラストマー材料からなるキャップが配置されていることが有利である。これにより、減衰のための摩擦力を更に増加させることができる。
【００１５】
ただし、上記キャップを押圧する構成要素に対して回転するキャップが望ましい場合、上記キャップは、上記プランジャ或いはシリンダに回転可能に接続することができる。
【００１６】
更に好適な実施形態において、ヒンジの閉鎖運動の際、上記プランジャ或いはシリンダが上記ヒンジのヒンジアーム又は旋回アームに対して当接するように、上記減衰装置は、上記ヒンジのポット状部分内に挿入されているか、又は上記ヒンジのポット状部分と一体に構成されている。
【００１７】
別の実施形態によれば、本発明の目的を達成するため、請求項１の前提部に基づく減衰装置、即ち、中空体内に案内されるピストン或いはプランジャを備えており、上記ピストン或いはプランジャは、バネ力の作用を受けて押し出し位置に置かれる家具の可動部分用減衰装置において、上記ピストンは、軸方向に延びる穿孔と、少なくとも一部が螺旋状になっている雌ネジ山とを備えている一方、上記ピストンに螺入（ねじ込まれる）されるプランジャは、少なくとも一部が螺旋状になっている雄ネジ山を備えている。上記両ネジ山の一方は、他方によって摺動可能に支持されているか、若しくは、上記ピストン或いはプランジャのカム又はジャーナルは、別の構成要素のネジ山によって支持されている。上記ピストン或いはプランジャは、上記中空体において軸方向に摺動可能且つ回転可能に案内される一方、上記別の構成要素は、上記中空体において軸方向に摺動可能且つ回転不能に案内される。上記回転可能に案内されるピストン或いはプランジャは、連結部を備えており、上記回転可能なピストン或いはプランジャが上記中空体内に押し込まれた位置にあるときに、上記連結部と該連結部に対応する構成要素の連結部とが連結可能になり、上記構成要素が上記中空体内において抵抗に抗して回転できるように構成されている。そして、上記各ネジ山の間隔は、自動ロックがかかる間隔よりも大きい。
【００１８】
この本発明の実施形態に係る減衰装置によれば、上記ピストンに螺入された上記プランジャに対する上記ピストンの相対回転、及び上記中空体における上記ピストン及び上記プランジャ両方の軸方向の変位に加えて、短い距離で強い減衰効果を得ることが可能となり、上記回転可能な構成要素は、該構成要素に連結された上記ピストン或いはプランジャに対して、逆のモーメントによる強い減衰効果を及ぼす。上記減衰装置は、回転不能部分、即ち、軸方向に摺動可能であるが回転不能に案内される上記ピストン或いはプランジャを、上記中空体内に押し込むことにより減速される部分の衝撃を吸収するのに十分な位置まで、上記中空体外に案内するように構成することができる。
【００１９】
上記ピストンに螺入可能な上記プランジャは、上記中空体の内壁部の縦溝、又は上記中空体を閉鎖する軸受筒において案内される、少なくとも１つの径方向に延びるカム又はバネを備えていることが好ましい。
【００２０】
上記プランジャ或いは上記ピストンは、上記中空体において回転不能に案内することもできるが、その場合、上記プランジャ或いは上記ピストンは、真円ではない外形を有し、上記中空体の対応する部分により回転不能に保持される。
【００２１】
本発明の更なる実施形態において、減速ねじりモーメントと関係して回転可能な上記構成要素は、上記中空体の底部の環状溝内で回転可能に保持される筒状部で構成されている。上記回転可能な筒状部は、高粘性グリースを用いることにより、上記環状溝に埋め込むこともできる。このグリースは、上記筒状部の摩擦又は回転抵抗を増加させる。上記高粘性グリースの減速特性を向上するために、上記グリースに粘着性成分を加えることができる。
【００２２】
上記両連結部は、上記筒状部及び筒状の上記ピストンの環状面に配置された鋸歯状部で構成されており、上記プランジャが押し込まれたときに、上記両鋸歯状部は互いに係合して連結することが好ましい。上記両鋸歯状部が係合して連結するときに、それに伴う作用を上記筒状部に及ぼすため、これらの鋸歯状部は、ほぼ上記プランジャの軸方向に延びる側面を備えている。減速効果を及ぼす上記回転可能な筒状部によって上記両鋸歯状部の分離及び上記プランジャの押し出しが妨げられることなく、互いに係合している部分がバネ力により再び押し離されるように、上記両鋸歯状部の別の側面は傾斜している。
【００２３】
上記中空体の基部において上記環状溝により露出されているジャーナルの端面と、上記プランジャの後端との間には、圧縮バネが係止されていることが好ましい。
【発明を実施するための最良の形態】
【００２４】
以下、図面を参照しながら本発明の実施形態を詳細に説明する。
【００２５】
（第１の実施形態）
図１は、戸棚の左上隅を示す。戸棚の側壁部１には、アダプタハウジング２が取り付けられており、側壁部１の内側におけるアダプタハウジング２には、減衰装置が保持されている。減衰装置はプランジャ３を備えており、プランジャ３は、戸棚のドアが該減衰装置に衝突した時の衝撃を減衰するように、側壁部１の端面を越えて突出している。
【００２６】
図２及び図３は、本発明の第１の実施形態に係る減衰装置を示している。この減衰装置は、シリンダ４を備えており、シリンダ４は、その開口端側内面において雌ネジ山５を備えている。一方、プランジャ３は、雄ネジ山６を備えており、雄ネジ山６は、雌ネジ山５との間に幾分遊びができるように雌ネジ山５に挿入される。シリンダ４は、その右側内面部分において、図示のように、雌ネジ山のない平滑な壁部を備えている。シリンダ４は、カバー７により一端が閉鎖されている。カバー７とプランジャ３との間には、圧縮バネ８が係止されている。プランジャ３は、その雄ネジ山６と、シリンダ４から突出する丸い平滑な壁部との間において、段部９を備えている。この段部９が設けられていることにより、プランジャ３は、シリンダ４の内側に延伸された縁部により形成されている段部１０によって支持される。
【００２７】
（第２の実施形態）
図４及び図５に示すように、第２の実施形態は、プランジャ３に対向するバネ８の端部がスタッド１１の小径部で回転不能に保持されており、スタッド１１の大径部がプランジャ３に対して当接している点のみが上記第１の実施形態と実質的に異なる。スタッド１１の大径部の端面は、プランジャ３の平面と当接する際の摩擦を増加するように、粗い表面に加工することが可能である。シリンダ４の一端を閉鎖するカバー７は、その内側において、バネ８の外端を回転不能に支持する段部１２を備えている。
【００２８】
（第３の実施形態）
図６に示す第３の実施形態において、プランジャ１３と、雄ネジ山を備えたピストン状部分１４とは、別個の部材として設けられている。ピストン状部分１４は、雄ネジ山と止まり穴とを有するスタッドで構成されている。プランジャ１３のジャーナル１５は、ピストン状部分１４がプランジャ１３に対して回転できるように、この止まり穴に係合している。プランジャ１３は、肩部１６を備えており、この肩部１６の内側の環状段部によって、ピストン状部分１４の環状面が支持されている。プランジャ１３が押し出された状態において、肩部１６の外側の環状段部は、シリンダ４の縁部の環状段部に対して当接している。プランジャ１３のうち環状段部を有する肩部１６に隣接する部分は真円ではなく、シリンダ４の開口部も、それに対応して円形状ではないため、プランジャ１３は、シリンダ４に対して軸方向に変位可能であるが回転不能に保持されている。プランジャ１３の外側の他の物体に衝突した際に衝撃を受ける面の所定位置には、エラストマー材料からなるキャップ１７が設けられている。
【００２９】
―本発明に係る減衰装置の第１の適用例―
図７は、二重旋回アーム式のヒンジの斜視図である。このヒンジのポット状部分の取付フランジ２０は、その中央面において、ハウジング状部分２１を備えている。このハウジング状部分２１には、プランジャ３がポット状凹部内に突出するように、本発明に係る減衰装置が保持されている。ヒンジの閉鎖時、二重旋回アーム式ヒンジの外側の旋回アーム２２はプランジャ３に衝突するが、その衝撃は、短い距離で大きな減速力により減衰されるようになっている。
【００３０】
―本発明に係る減衰装置の第２の適用例―
図８に示すように、第２の適用例は、ヒンジのポット状部分がその縦中央面に沿って分割されており、このように分割された両構成部分は、その対向する凹部から減衰装置のシリンダを組み立てることができるように、接合されている点のみ上記第１の適用例と異なる。本適用例においても、減衰装置のプランジャ３は、ヒンジの閉鎖時に外側の旋回アーム２２がプランジャ３に当接するように、ポット状凹部内に突出しており、これによりヒンジの閉鎖時に極めて大きな減速力が得られる。
【００３１】
（第４の実施形態）
図９〜図１３に示すように、第４の実施形態に係る減衰装置は、円筒状部分３０を備えている。この円筒状部分３０は、その内部の開口端領域の両側において、対向する２つの軸状のカム３１を備えている。カム３１は、ピストン状部分３３の鋸歯状溝３２に係合するように構成されている。これらの鋸歯状溝３２は、下側面において螺旋状部分３４を備えている。螺旋状部分３４は、例えば９０°の円周角度で延長可能になっている。螺旋状部分３４は、ほぼ軸軸線方向に平行な（以下、単に軸平行という）側面３６に隣接する先端部３５において終端しており、軸平行な側面３６は、後続の螺旋状側面（螺旋状部分）３４への移行部分を形成している。先端部３５近傍の領域において、溝３２の上側面はポケット状に延びており、軸平行に突出したこれらのポケット状部分の基部３７は、先端部３５に近接するように螺旋状側面３４上に位置している。カム３１を鋸歯状溝３２内に挿入するために、ピストン状部分３３には、ポケット状凹部の側面に通じ、自在に延びる溝３８が設けられている。その結果、本実施形態において、ピストン（ピストン状部分）３３は螺旋運動の後に、直線的に戻されるが、これらの運動は円滑且つ迅速に行なわれる。
【００３２】
押し込み可能な円筒状部分３０をピストン状部分３３において良好に案内するために、ピストン（ピストン状部分）３３は、底部を有する止まり穴の形で形成された円筒状凹部３９を備えている。シリンダ（円筒状部分）３０の内側の円筒部４０は、円筒形であるピストン３３がシリンダ３０とその内側の円筒部４０との間の環状空間４１内に案内されるように、シリンダ３０と同心状に構成されている。更なる安定化のために、シリンダ３０は、その外側の円筒部４２により囲まれている。外側の円筒部４２は、円筒状ピストン３３と一体に構成されている底板４３によって保持されているのが好ましい。ピストン３３の円筒状凹部の肩部と内側の円筒部４０との間には、圧縮バネ４４が係止されている。圧縮バネ４４は、中央に位置するように、底板４３の軸状隆起部４５によって保持されている。外側の円筒部４２は、その縁部において内側環状段部を備えている一方、シリンダ３０は、その縁部において外側環状段部を備えている。これらの段部は、シリンダ３０が完全に押し出されたときに、隣り合わせに位置することになる。シリンダ３０及びその内側の円筒部４０に共通の底部の対応する凹部には、エラストマー材料からなる弾性パッド４８が保持されている。
【００３３】
所望の摩擦値を設定するために、適度な粘性を有するグリースを螺旋状部分又は側面に塗布することが可能である。ただし、このグリースは、凹部３９の内壁部、並びに内側の円筒部４０の外壁部に塗布することが好ましく、その結果、これらの構成要素の相対運動により形成される空隙において、所望の減速力を得ることが可能となる。
【００３４】
（第５の実施形態）
図１４〜図１６において示す本発明の第５の実施形態に係る減衰装置は、シリンダ５０の形で構成された中空体を備えている。シリンダ５０において、貫通孔を備えたピストン５１は、軸方向に変位可能且つ回転自在に案内される。筒状ピストン５１は、その内壁部において、雌ネジ山５２を備えている。シリンダ５０は、その右側の開口端において、軸受筒５３により閉鎖されている。軸受筒５３は、フランジ５４でシリンダ５０の縁部によって支持されており、既知の手段によりシリンダ５０に対して回転不能且つ軸方向に摺動不能に接続されている。軸受筒５３において、プランジャ５５は、軸方向に摺動可能である一方で回転不能に案内される。プランジャ５５は、押圧作用によりシリンダ５０内に押し込むことが可能な長さ分だけ、実質的にフランジ５４を越えて突出する。プランジャ５５は、シリンダ５０を越えて突出する部分から続く部位の両側において、カム５６を備えている。図１５に示すようなプランジャ５５が押し出された状態において、カム５６は、軸受筒５３の環状段部により支持されており、軸受筒５３の内側に延伸された縁部に対応して形成されている。軸受筒５３は、シリンダ５０内に位置する筒状部分において、互いに対向して軸方向に延びる溝を備えている。これらの溝において、カム５６は、案内されると共に、回転不能にロックされている。図１４中の一点鎖線で円状に囲われた詳細図Ａにおいて、カム５６は拡大して示されている。プランジャ５５は、カム５６から続く構成部分５７を備えており、構成部分５７は、自動ロックがかかる間隔よりも大きい間隔を有する螺旋状の雄ネジ山５８を備えている。プランジャ５５がシリンダ５０内に押し込まれるとき、雄ネジ山５８を備えたプランジャ５５の構成部分５７は、筒状ピストン５１の雌ネジ山５２に螺入（ねじ込み）可能になっている。
【００３５】
シリンダ５０の底部に環状溝が形成されていることにより、ジャーナル６０が露出されている。この環状溝には、幾分遊びができるように、筒状部６１が設けられている。筒状部６１は、ジャーナル６０の端面に対応する部分から続く部位において、内側及び外側環状段部を有する広幅部６２を備えている。広幅部６２は、これらの環状段部、即ち、シリンダ５０の内壁部とジャーナル６０の端面との間の環状溝を形成する壁部を構成する環状段部によって支持されている。
【００３６】
筒状部６１の広幅部６２と筒状ピストン５１とは、互いに向き合う環状面において、鋸歯状部６３及び６４をそれぞれ備えている。尚、鋸歯状部６３及び６４は、図１６中の一点鎖線で円状に囲われた詳細図Ｂにおいて、拡大して示されている。鋸歯状部６３及び６４は、軸方向に延びる側面６５と、傾斜した側面６６とを備えている。ジャーナル６０の端面６７とプランジャ５５の小径の端部との間には、圧縮バネ６９が係止されている。この圧縮バネ６９は、プランジャ５５を図１６に示す押し込み位置から図１５に示す押し出し位置へ付勢する。
【００３７】
高粘性グリースを用いることにより、回転に対する耐性が向上するように、筒状部６１をシリンダ５０の底部の環状溝において保持することができる。尚、高粘性グリースは、その粘性を増すために粘着性成分を含有してもよい。
【００３８】
プランジャ５５のうちシリンダ５０を越えて突出している部分が衝撃又は圧力を受けた場合、プランジャ５５は、筒状部６１の広幅部６２に対して、既にプランジャ５５が螺入されている環状ピストン５１を短距離押圧する。その結果、鋸歯状部６３及び６４は、噛み合い継ぎ手の形で互いに係合する。筒状ピストン５１が筒状部６１及びその広幅部６２に対して押圧され次第、雌ネジ山５２と雄ネジ山５８とが互いに摺動することにより、プランジャ５５が更にピストン５０内に押し込まれて、筒状ピストン５１は反時計回りに回転させられる。その結果、筒状ピストン５１と筒状部６１及びその広幅部６２とが連結された状態となる。筒状部６１及びその広幅部６２は、高い摩擦抵抗に抗して回転可能になっているため、プランジャ５５がシリンダ５０内に更に押し込まれる際、筒状部６１及びその広幅部６２はプランジャ５５に対して強い減衰効果を及ぼすことになる。押圧作用が無くなり、それに伴いプランジャ５５に作用する圧力が無くなったとき、圧縮バネ６９は、筒状部５１を元に戻す螺旋運動により、再び図１５に示すような定位置までプランジャ５５を摺動させる。
【図面の簡単な説明】
【００３９】
【図１】戸棚の隅のアダプタハウジングに保持されている本発明に係る減衰装置の斜視図である。
【図２】本発明の第１の実施形態に係る減衰装置の分解斜視図である。
【図３】図２の減衰装置が組み立てられた状態を示す縦断面図である。
【図４】本発明の第２の実施形態に係る減衰装置の分解斜視図である。
【図５】図４の減衰装置が組み立てられた状態を示す縦断面図である。
【図６】本発明の第３の実施形態に係る減衰装置の縦断面図である。
【図７】本発明に係る減衰装置がポット状部分に組み込まれた二重旋回アーム式ヒンジの斜視図である。
【図８】本発明に係る減衰装置の他の適用例を示す図７相当図である。
【図９】本発明の第４の実施形態に係る減衰装置の分解斜視図である。
【図１０】図９に示す減衰装置の内側の円筒状部分の斜視図である。
【図１１】図９に示す減衰装置のピストン状部分の斜視図である。
【図１２】図１１に示すピストン状部分の側面図である。
【図１３】図９に示す減衰装置の断面図である。
【図１４】本発明の第５の実施形態に係る減衰装置の分解図であり、符号Ａはその細部の拡大図を示す。
【図１５】プランジャが押し出された状態にある組み立て後の図１４の減衰装置の縦断面図である。
【図１６】プランジャが押し込まれた状態にある図１５相当図であって、符号Ｂはその細部の拡大図を示す。
【符号の説明】
【００４０】
１      側壁部
２      アダプタハウジング
３      プランジャ
４      シリンダ（中空体）
５      雌ネジ山
６      雄ネジ山
７      カバー（底部）
８      バネ（圧縮バネ）
１１    スタッド（中間部材）
１３    プランジャ
１４    ピストン状部分（ピストン）
１５    ジャーナル（一部）
２０    取付フランジ（ポット状部）
２２    旋回アーム
３０    円筒状部分（シリンダ，中空体）
３１    カム
３２    鋸歯状溝（溝）
３３    ピストン状部分（ピストン、中空体、構成要素）
３４    螺旋状部分（螺旋状側面）
３５    先端部
３６    側面
３７    ポケット状部分の基部
４２    外側の円筒部（外側のシリンダ）
４４    圧縮バネ
５０    シリンダ（中空体）
５２    雌ネジ山
５３    軸受筒
５５    プランジャ
５６    カム
５８    雄ネジ山
６０    ジャーナル
６１    筒状部（構成要素）
６３    鋸歯状部（連結部）
６４    鋸歯状部（連結部）
６９    圧縮バネ
【図１】
2004316912.tif 000003
【図２】
2004316912.tif 000004
【図３】
2004316912.tif 000005
【図４】
2004316912.tif 000006
【図５】
2004316912.tif 000007
【図６】
2004316912.tif 000008
【図７】
2004316912.tif 000009
【図８】
2004316912.tif 000010
【図９】
2004316912.tif 000011
【図１０】
2004316912.tif 000012
【図１１】
2004316912.tif 000013
【図１２】
2004316912.tif 000014
【図１３】
2004316912.tif 000015
【図１４】
2004316912.tif 000016
【図１５】
2004316912.tif 000017
【図１６】
2004316912.tif 000018